(57)【要約】【課題】機能性および見栄えに優れたマスクを提供することにある。【解決手段】装着時において周縁部よりも口および鼻先部分が外側に膨出する略カップ状の立体形状をなすインナー部と、これを被覆する方形平板状の外装部とを備えるマスクにより解決される。【選択図】図１
2007021032.tif 000002
【特許請求の範囲】
【請求項１】
鼻および口を含む顔面の対象部を覆う本体部と、この本体部の左右両側に設けられた耳に係止するための係止部と、を備えるマスクであって、
前記本体部が、顔面と対面するインナー部と、このインナー部を被覆する外装部とを有し、
前記インナー部が、装着時において周縁部よりも口および鼻先部分が外側に膨出した略カップ状の立体形状である、ことを特徴とするマスク。
【請求項２】
前記係止部が、外装部に設けられているとともに、インナー部が、その外周面において外装部に対して連結されている請求項１記載のマスク。
【請求項３】
前記インナー部が、外装部に対して着脱自在とされている請求項１または２記載のマスク。
【請求項４】
前記外装部が、非装着状態における正面視で方形平板状である請求項１〜３の何れか１項に記載のマスク。
【請求項５】
前記外装部が、プリーツを備えている請求項１〜４の何れか１項に記載のマスク。
【請求項６】
インナー部が、保湿機能、調湿機能、脱臭機能、細菌およびウィルスの少なくとも一方をフィルタリングする機能、殺菌機能、抗菌機能の少なくとも一つの機能を備える請求項１〜５の何れか１項に記載のマスク。
【発明の詳細な説明】
【技術分野】
【０００１】
本発明は、鼻口を覆うマスクに関し、特に、花粉に代表されるアレルゲン等の進入防止や、唾液飛沫が周囲へ飛散することを防止すること等に用いられるマスクに関する。
【背景技術】
【０００２】
近年、花粉症対策、風邪の予防などに用いられるマスクの需要が増加している。マスクは、鼻および口を含む顔面の対象部を覆う本体部と、この本体部の左右両側に設けられた耳等に係止するための係止部と備える。
【０００３】
本体部の形状は、古くから方形平板状が一般的であり、これに数段のプリーツ加工を施して縦方向へ伸縮可能にした形態もよく知られる。
【０００４】
しかし、本体部が方形平板状であると、顔面の起伏に対するフィット性が十分ではなく、装着時に本体部の周縁部と肌との間に間隙が生じて、かかる間隙から埃や塵が入ることがある。プリーツが形成されたものは、プリーツの適宜の伸縮によって周縁部のフィット性を高めて間隙を少なくすることができるが、このようなプリーツを形成しても顔面の起伏に十分に対応できてはいない。
【０００５】
そこで、近年では、本体部を嘴形状、カップ型形状にして、顔面の起伏に対応してフィット性を高めるとともに、装着時に鼻口との間に空間が形成されるようにして、呼吸をしやすく、また会話をしやすくした、立体形状タイプとも称されるマスクが市販に供されるようになっている。
【特許文献１】特開２００４−３１３２９３号公報
【特許文献２】実用新案登録第２５３３９３７号
【発明の開示】
【発明が解決しようとする課題】
【０００６】
しかし、本体部の形状は、方形平板状が一般的であったため、立体形状マスクは機能的に優れる面はあるものの独特の形状で装着時の見た目が特異であることから利用を控える者も多い。
【０００７】
そこで、本発明の主たる課題は、埃や花粉の鼻口への進入を防止するというマスクの機能を高めつつ、呼吸のしやすさを向上させるとともに、見栄えについても配慮されたマスクを提供することにある。
【課題を解決するための手段】
【０００８】
上記課題を解決した本発明は次記の通りである。
＜請求項１記載の発明＞
鼻および口を含む顔面の対象部を覆う本体部と、この本体部の左右両側に設けられた耳に係止するための係止部と、を備えるマスクであって、
前記本体部が、顔面と対面するインナー部と、このインナー部を被覆する外装部とを有し、
前記インナー部が、装着時において周縁部よりも口および鼻先部分が外側に膨出した略カップ状の立体形状である、ことを特徴とするマスク。
【０００９】
（作用効果）
本発明のマスクは、いわゆる立体タイプの本体部と平板タイプの本体部の利点を併せ持つ。例えば、インナー部を略カップ状の立体形状としたため、装着時に口元および鼻腔まわりに空間が形成され呼吸がしやすく、または会話のしやすいものとなる。そして、そのインナー部を被覆する外装部を設けた構成としたことにより、インナー部の機能にともなう必然形状にとらわれず、自由なデザインの外装部とすることができ、もって、利用者の求める必要な機能とデザインとを有するマスクとすることができる。また、インナー部を交換可能とすることができ、衛性的に優れたものとすることができる。さらに、外装部を交換可能とすることができ、外観的に優れたものとすることができる。
【００１０】
＜請求項２記載の発明＞
前記係止部が、外装部に設けられているとともに、インナー部が、その外周面において外装部に対して連結されている請求項１記載のマスク。
【００１１】
（作用効果）
外装部に係止部が設けることにより、外部から視認されたときに、外装部が一般的なマスクの本体部様であるとともに、インナー部を新しい衛生的なものに交換することが可能となる。
【００１２】
＜請求項３記載の発明＞
前記インナー部が、外装部に対して着脱自在とされている請求項１または２記載のマスク。
【００１３】
（作用効果）
インナー部の外装部に対する位置の調整や、インナー部の交換等が可能となる。
【００１４】
＜請求項４記載の発明＞
前記外装部が、非装着状態における正面視で方形平板状である請求項１〜３の何れか１項に記載のマスク。
【００１５】
（作用効果）
外装部を、古くからのマスク本体部の一般的形状である方形平板状とすることで、視覚的な違和感を軽減することができる。
【００１６】
＜請求項５記載の発明＞
前記外装部が、プリーツを備えている請求項１〜４の何れか１項に記載のマスク。
【００１７】
（作用効果）
プリーツの開拡により、インナー部の立体形状を崩さずに、インナー部を被覆しやすくなる。
【００１８】
＜請求項６記載の発明＞
インナー部が、保湿機能、調湿機能、脱臭機能、細菌およびウィルスの少なくとも一方をフィルタリングする機能、殺菌機能、抗菌機能の少なくとも一つの機能を備える請求項１〜５の何れか１項に記載のマスク。
【００１９】
（作用効果）
各種機能を有するマスクとなる。
【発明の効果】
【００２０】
以上のとおり、本発明によれば、埃や花粉の鼻口への進入を防止するというマスクの機能を高めつつ、呼吸のしやすさを向上させるとともに、見栄えについても配慮されたマスクを提供することができる。
【発明を実施するための最良の形態】
【００２１】
次いで、本発明の実施の形態を図面を参照しながら以下に詳述する。
図１は、本実施の形態にかかるマスク１を示している。このマスク１は、口許及び鼻腔を覆う本体部２と、この本体部２を身体に係止するための係止部３とを備えている。
【００２２】
本体部２は、顔面Ｆに直接的に対面するインナー部２０と、このインナー部２０を被覆する外装部２１とで構成されている。外装部２１の両側部には、前記係止部３としての耳掛け用ゴム紐が環状３に取り付けられている。
【００２３】
インナー部２０と外装部２１とはインナー部２０の外面２０Ａの両側部および外装部内面２１Ｂの両側部に設けられた一対のメカニカルファスナー２２によって着脱自在に連結されている。インナー部２０と外装部２１とは他の部分においては接着等されておらず、従って連結部以外では外装部２１はインナー部２１に対して自由とされている。
【００２４】
なお、他の形態においては、インナー部２０と外装部２１との連結位置は、適宜の位置とすることができ、インナー部２１と外装部２１との連結手段は、メカニカルファスナー以外に、粘着剤等の既知の手段を用いることができる。また、インナー部２０と外装部２１とは着脱自在にせず適宜の位置で既知の接着剤やステープラーにより剥離不能に強固接着した形態をとることがきできる。
【００２５】
インナー部２０は、図２にも示すように、幅方向中央線に関して対称をなす左側部材２０Ｌ及び右側部材２Ｒからなり、両部材２０Ｌ，２０Ｒは平坦な通気性素材からなり、かつ幅方向中央側の縁部４で接合されている。接合は、ヒートシールやホットメルト接着、超音波溶着等、公知の接合手段により行うことができる。この接合部分４は、上下両側よりも中間部が外側に膨出する湾曲状をなしている。
【００２６】
インナー部２０は、他の形態として、図６に示すように、幅方向中央線に関して対称をなし左側部２０ｌ及び右側部２０ｒ一体とされている一枚の通気性部材２０Ｘからなり、これら部分２０ｌ，２０ｒが前記幅方向中央線の上側部４ａおよび下側部４ｂで接合された形態とすることもできる。
【００２７】
そして、インナー部２０は、着用時に作用する左右方向の張力に対して比較的延び難く形成されている。従って、インナー部２０は、左側部材２０Ｌ（２０ｌ）と右側部材２０Ｒ（２０ｒ）とを重ね合わせた状態では平坦になるが、装着にかかる前記係止部３の耳への係止作業等によって左側部材２０Ｌ（２０ｌ）と右側部材２０Ｒ（２０ｒ）との間を広げた状態（図示状態）では略カップ状になる。そして、着用者の口許や鼻腔を覆うようにあてがわれた装着状態では、口許や鼻腔のまわりに空間を残した状態となる。そして、インナー部２０は、着用者の呼吸によってふくらんだり、へこんだりすることがないように、ＪＩＳ−Ｌ−１０９６に規定する剛軟性Ａ法に準拠した剛軟度が４０ｍｍ以下になるように前記左右部材２０Ｒ，２０Ｌ（２０ｌ，２０ｒ）を構成してある。かかる前記左右部材２０Ｒ，２０Ｌ（２０ｌ，２０ｒ）は、熱可塑性合成繊維からなるメルトボンド不織布やスパンボンド不織布などの不織布、織布、プラスチック製ネット、天然繊維からなる織布またはそれらの積層品などによりつくることができる。
【００２８】
ここで、本発明におけるインナー部２０は、部材の予めの立体裁断により装着時に略カップ状になる立体形状のものをいう。装着時において平面、平板形態のものは含まれないし、当業界でいわゆる平板タイプといわれる本体部の一態様として知られる、装着後あるいは装着前に予めプリーツを広げる作業を行うことにより擬似的に立体的な形状となる形態も含まれない。
【００２９】
他方、インナー部２０は、塵埃等の濾過機能、芳香機能、保湿機能、調湿機能、脱臭機能、細菌・ウィルス・アレルゲンの少なくとも一つをフィルタリングあるいは不活性化する機能、殺菌機能、抗菌機能、形状保持機能の少なくとも一つの機能を備えるのが好適である。
【００３０】
かかる機能の付与は、各種必要な既知の薬品を塗布等によって担持させるなどすればよい。その他、既知の材料、既知の方法を用いることができる。具体例としては、保湿機能を持たせるのであれば、ワセリン、ＭＰＣポリマー等の保湿材をインナー部２０の顔面に当接する面に塗布しておけばよい。塗布は、インナー部２０を形成するための不織布反等（インナー部の部材に裁断する前の原反）に対して予め保湿剤を塗布する作業を行えばよく、このような不織布反等への保湿剤の塗布は、例えばスプレー方式、ロール転写等の既知の方法を取ることがきできる。
【００３１】
一方、前記外装部２１は、図３および４にも示すように、幅方向に沿うプリーツ６（ジグザグ状に折り重ねて形成した襞）を複数有しおり、その両側部には、係止部３としての耳掛け用ゴム紐が環状に取り付けられている。プリーツの数は２〜３本が好ましい。プリーツの形態としては、断面Ω状としてもよい。
【００３２】
そして、上述のとおり、外装部２１はインナー部２０に対して両側部の連結部以外では自由であるので、外装部２１の幅方向中間部において上端と下端とを離間させるように引っ張ると、中央部が上下に伸張して、インナー部２０の外面に沿ってプリーツ６が拡開する。これにより、図１に示すように、略カップ状のインナー部２０の立体形状に沿って、好適にインナー部２０が被覆される。
【００３３】
なお、外装部２１の形態は、プリーツ形態に限らず、インナー部２０を被覆できる範囲で、適宜の形状とすることができる。図５に示すとおり、プリーツを省略した簡素な形態を採用してもよい。また、外装部２１の形状としては、図示のような矩形の他、楕円形、菱形等、適宜の形状を採用することができる。
【００３４】
外装部２１は、インナー部２０の立体形状を崩さないようにしつつインナー部２０を被覆すべく、やわらかく、しなやかな素材により形成するのが望ましい。また、外装部２１も、インナー部２０と同様に通気性であり、不織布等により形成される。不織布を用いる場合は、積層不織布を用いることができる。例えば、スパンボンド法によりウェブを形成したスパンボンド不織布（Ｓ）層と；メルトブローン法によりウェブを形成したメルトブローン不織布層（Ｍ）とを２層以上適宜積層させた不織布積層体を素材として使用することができる。
【００３５】
ここで、本体部２のサイズは適宜定めることができ、特に限定されるものではないが、装着時にインナー部２０が外装部２１によって被覆されて、外部よりインナー部２０がほとんど視認されないようにするのが望ましい。好適にはインナー部外面側表面積の５０〜１００％が外装部２１で被覆されるように構成するのが好適である。外装部２１およびインナー部２０の各部の具体的な大きさの例としては、例えば、インナー部は、縦８０〜１５０ｍｍ、横６０〜１１０ｍｍ程度が好適であり、外装部（プリーツ６を有する場合はプリーツ６を拡げない状態で）は、縦８０〜１１０ｍｍ、横８０〜１８０ｍｍ程度が好適である。
【産業上の利用可能性】
【００３６】
本発明は、花粉症等におけるアレルゲンの遮断や、風邪等における感染防止を目的として、鼻や口を覆うマスクの他、広範な用途に適用できるものである。
【図面の簡単な説明】
【００３７】
【図１】マスクの装着状態を示す側面図である。
【図２】インナー部の例を示す斜視図である。
【図３】外装部の例を示す斜視図である。
【図４】図３のＩＶ−ＩＶ断面図である。
【図５】外装部の他の例を示す斜視図である。
【図６】インナー部の他の例を示す斜視図である。
【符号の説明】
【００３８】
１…マスク、２…本体部、２０…インナー部、２０Ｌ…左側部材、２０Ｒ…右側部材、２１…外装部、３…係止部、４…接合部分、５…開口、６…プリーツ。
【図１】
2007021032.tif 000003
【図２】
2007021032.tif 000004
【図３】
2007021032.tif 000005
【図４】
2007021032.tif 000006
【図５】
2007021032.tif 000007
【図６】
2007021032.tif 000008